(57)【要約】【課題】測光可能な複数の測光エリア有し、その各測光エリアにおいて得られた測光値に重み付けをする手段を有する画像入力装置において、露光量の割合を決定する測光感度重み付けを行う係数を変更可能にし、微妙な測光感度調節を行うことができることを目的とする。【解決手段】各測光エリア毎に測光感度重み付けを行う係数を映像表示画面に表示し、その映像表示画面内で係数を変更することが出来、変更後の状態を保存できることが出来る。【選択図】図１
2007124105.tif 000002
【特許請求の範囲】
【請求項１】
測光可能な複数の測光エリア有し、その各測光エリアにおいて得られた測光値に重み付けをする手段を有し、その複数の測光エリアからの重み付け手段で得られた組み合わせにより測光を行う複数の測光方式手段を有し、データを撮像装置内部もしくは撮像装置外部に設置されている記憶装置に保存できる手段を有し、撮像装置からの映像信号を表示する手段を有し、映像表示において映像信号にデータを重畳させるデータ重畳手段を有する画像入力装置において、映像表示画面に表示されている測光エリア内に露光量の割合を決定する測光感度重み付けを行う係数を数値データとして表示し、各測光エリアに表示されているその重み係数を変更することが出来、変更したすべての測光エリアの測光感度重み係数データを記憶装置に保存できることを特徴とする画像入力装置。
【請求項２】
測光感度重み係数は数値データとして被写体を隠すことがないように測光エリアの隅に配置表示され、複数の測光方式手段毎に測光エリアの測光感度重み係数に対する初期値が定められており、その初期値の合計値を変えることがない範囲において測光感度重み係数を変更できることを特徴とする画像入力装置。
【請求項３】
複数の測光方式手段毎における測光感度重み係数の数値データを変更した後の状態を、新たな測光方式手段として自由に名前を付けられ撮像装置内部もしくは撮像装置外部に設置されている記憶装置に保存できることを特徴とする画像入力装置。
【請求項４】
測光可能な複数の測光エリア有し、その各測光エリアにおいて得られた測光値に重み付けをする手段を有し、その複数の測光エリアからの重み付け手段で得られた組み合わせにより測光を行う複数の測光方式手段を有し、データを撮像装置内部もしくは撮像装置外部に設置されている記憶装置に保存できる手段を有し、撮像装置からの映像信号を表示する手段を有し、撮像装置からの映像信号がカラーで表示される手段と白黒で表示される手段を有し、映像表示において映像信号にデータを重畳させるデータ重畳手段を有する画像入力装置において、カラーで表示される手段と白黒で表示される手段両方において映像表示画面に表示されている測光エリア内に露光量の割合を決定する測光感度重み付けを行う係数を数値データとして表示し、各測光エリアに表示されているその重み係数を変更することが出来、変更したすべての測光エリアの測光感度重み係数データを記憶装置に保存出来、特に白黒で表示される手段においては映像表示画面に被写体を表示せず測光エリアのみを表示し、測光感度重み係数の変更によりその測光エリア内の白黒の輝度を変更する手段を有することを特徴とする画像入力装置。
【発明の詳細な説明】
【技術分野】
【０００１】
本発明は画像入力装置に関し、例えば自動露出機能を有する撮像装置の測光感度を設定する方式に関するものである。
【背景技術】
【０００２】
撮像装置の分野で測光感度を撮影状態、撮影者の意図を考慮した形で自動的に決定し露出が行われている。測光エリアの中央の測光感度を高くしその周囲の測光感度を低く設定する方式、過去のデータを元に制御装置が状況に応じて計算により測光感度を設定する方式、測光エリアの中央１点にのみ測光感度をもたせる方式、測光エリア全ての測光感度を同じにする方式がある。
【特許文献１】特開２００３−３２５４３号公報
【発明の開示】
【発明が解決しようとする課題】
【０００３】
従来の技術では各測光方式により自動的に適切な測光感度重み係数を設定し、多くの場面、状況で最適な露出が行えるが、測光感度を微妙に変更したい場合、調節したい場合には対応していなかった。
【０００４】
本発明では従来の測光方式を基本とし、その特徴を大きく変えることなく、変更および調節したい場合に提供する手段である。例えば測光エリアの中央の測光感度を高くしその周囲の測光感度を低く設定する方式においては、中央以外の個所で測光感度を高くしたい場合、中央の感度を幾分低くしたい場合等に対応していなかった。また全く新しい測光方式手段で撮影したい場合にもそれを実現する手段がなかった。
【課題を解決するための手段】
【０００５】
上記の課題を解決するために、第１請求項の発明は従来の測光方式それぞれに対して各測光エリアの測光感度を変えることが出来る。その変更は数値の変更により行われるため微妙な変更を行うことが出来る。変更後の数値は映像表示画面に表示されているため確認することが容易に出来、変更したすべての測光エリアの測光感度重み係数データを数値データとして記憶装置に保存できるため変更後の状態は完全に再現することが出来ることを特徴とする。
【０００６】
第２請求項は第１請求項により変更された測光エリアの測光感度重み係数データは、各測光方式手段毎に測光エリアの測光感度重み係数に対する初期値が定められており、その初期値の合計値を変えることがない範囲において測光感度重み係数を変更できるため各測光方式の特徴を大きく変えることなく微妙な変更を行うことが出来ることを特徴とする。
【０００７】
第３請求項は第１請求項により変更された測光エリアの測光感度重み係数データは自由な名前を付けて記憶装置に保存できるため、１つの測光方式に対して複数の種類の変更を行った結果を混同することなく保存することが出来ることを特徴とする。
【０００８】
第４請求項は特に画像入力装置において、白黒で表示される手段を有する場合に対して、各測光エリアの測光感度を変えるときに測光感度重み係数データを数値データとして変更する手段とは別に白黒の濃淡をもって測光感度を変更させる手段を有し、これにより数値データとして変更した場合と比べ輝度を感覚的に変更することが出来ることを特徴とする。
【０００９】
なお、さらに説明すれば、本発明の第一の発明について下記のように示す。
【００１０】
（１）測光可能な複数の測光エリア有し、その各測光エリアにおいて得られた測光値に重み付けをする手段を有し、その複数の測光エリアからの重み付け手段で得られた組み合わせにより測光を行う複数の測光方式手段を有し、データを撮像装置内部もしくは撮像装置外部に設置されている記憶装置に保存できる手段を有し、撮像装置からの映像信号を表示する手段を有し、映像表示において映像信号にデータを重畳させるデータ重畳手段を有する画像入力装置において、映像表示画面に表示されている測光エリア内に露光量の割合を決定する測光感度重み付けを行う係数を数値データとして表示し、各測光エリアに表示されているその重み係数を変更することが出来、変更したすべての測光エリアの測光感度重み係数データを記憶装置に保存できることを特徴とする画像入力装置。
【発明の効果】
【００１１】
本発明によれば、下記実施例の方法を適用することにより、測光方式手段毎に測光エリアの測光感度重み係数を変更出来、各測光方式の特徴を大きく変えることなく微妙な変更を行うことが出来る。また変更後の各測光方式に名前を付けて保存することが出来るため後日全く同じ測光感度を実現させ撮影を行うことが出来る。
【発明を実施するための最良の形態】
【００１２】
上記構成によれば映像表示画面に表示されている測光エリア内に露光量の割合を決定する測光感度重み付けを行う係数を数値データとして表示しされるため、現在の状態を認識した上でさらにそれぞれの測光方式の基本を残したままで各測光エリアに表示されているその重み係数を変更することが出来、変更したすべての測光エリアの測光感度重み係数データを記憶装置に自由な名前をつけて保存出来るため、後日同じ状況で撮影することを容易に行うことが出来る。
【実施例】
【００１３】
以下、図面を参照して本発明の実施例を説明する。図１において、１００は画像処理装置である。
【００１４】
１２は撮影レンズ、１４は絞り機能を備えるシャッター、１６は光学像を電気信号に変換する撮像素子である。１８は撮像素子１４のアナログ信号出力をディジタル信号に変換するＡ／Ｄ変換器である。２０は、撮像素子１４、Ａ／Ｄ変換器１８、Ｄ／Ａ変換器２６にクロック信号、制御信号を供給するタイミング発生回路である。２４はメモリ制御回路であり、Ａ／Ｄ変換器１８、タイミング発生回路２０、画像処理回路２２、Ｄ／Ａ変換器２６、画像表示メモリ３０を制御する。２２は画像処理回路であり、Ａ／Ｄ変換器１６からのデータ或いはメモリ制御回路２４からのデータに対して所定の画素補間処理や色変換処理を行う。
【００１５】
また、画像処理回路２２においては、撮像した画像データを用いて所定の演算処理を行い、得られた演算結果に基づいてシステム制御回路３４が露光制御３６、測距制御３８に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２２においては、撮像した画像データを用いて所定の演算処理を行い、得られた演算結果に基づいてＴＴＬ方式のＡＷＢ（オートホワイトバランス）処理も行っている。
【００１６】
Ａ／Ｄ変換器１８のデータが画像処理回路２２、メモリ制御回路２４を介して、或いはＡ／Ｄ変換器１８のデータが直接メモリ制御回路２４を介して、画像表示メモリ３０或いはメモリ３２に書き込まれる。画像表示メモリ３０に書き込まれた表示用の画像データはＤ／Ａ変換器２６を介して画像表示部２８により表示される。画像表示部２８を用いて撮像した画像データを逐次表示すれば、電子ファインダー機能を実現することが可能である。また、画像表示部２８は、システム制御回路３４の指示により任意に表示をＯＮ／ＯＦＦすることが可能であり、その操作は画像表示ＯＮ／ＯＦＦ５４で行う。表示をＯＦＦにした場合には画像処理装置１００の電力消費を大幅に低減することが出来る。
【００１７】
３６は絞り機能を備えるシャッター１４を制御する露光制御であり、フラッシュ４４と連携することによりフラッシュ調光機能も有するものである。４４はフラッシュであり、ＡＦ補助光の投光機能、フラッシュ調光機能も有する。３８は撮影レンズ１２のフォーカシングを制御する測距制御、４０は撮影レンズ１２のズーミングを制御するズーム制御、４２はバリアである保護手段１０の動作を制御するバリア制御である。露光制御３６、測距制御３８はＴＴＬ（スルー・ザ・レンズ）方式を用いて制御されており、撮像した画像データを画像処理回路２２によって演算した演算結果に基づき、システム制御回路３４が露光制御３６、測距制御手段３８に対して制御を行う。４６は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ４６に対して行うことが可能となる。また、メモリ４６はシステム制御回路３４の作業領域としても使用することが可能である。
【００１８】
４８は電源制御で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路３４の指示に基づいてＤＣ−ＤＣコンバータを制御し、必要な電圧を必要な期間、記録媒体を含む各部へ供給する。
【００１９】
５０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。５２は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン等がある。
【００２０】
５４は画像表示ＯＮ／ＯＦＦスイッチで、画像表示部２８のＯＮ／ＯＦＦを設定することが出来る。６０はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。６２はシャッタースイッチＳＷ２で、不図示のシャッターボタンの操作完了でＯＮとなり、撮像素子１６から読み出した信号をＡ／Ｄ変換器１８、メモリ制御回路２４を介してメモリ３２に画像データを書き込む露光処理、画像処理回路２２やメモリ制御回路２４での演算を用いた現像処理、メモリ３２から画像データを読み出し、記録媒体７２に画像データを書き込む記録処理という一連の処理の動作開始を指示する。
【００２１】
６４及び７０はメモリカードやハードディスク等の記録媒体とのインタフェース、６６及び６８はメモリカードやハードディスク等の記録媒体と接続を行うコネクタ、６２はコネクタ６６及び或いは６８に記録部７２が装着されているか否かを検知する記録媒体着脱検知手段である。記録媒体を取り付けるインタフェース及びコネクタは、単数或いは複数、いずれの系統数を備える構成としても構わない。また、異なる規格のインタフェース及びコネクタを組み合わせて備える構成としても構わない。
【００２２】
インタフェース及びコネクタとしては、ＰＣＭＣＩＡカードやＣＦ（コンパクトフラッシュ(登録商標)）カード等の規格に準拠したものを用いて構成して構わない。さらに、インタフェース６４及び７０、そしてコネクタ６６及び６８をＰＣＭＣＩＡカードやＣＦ（コンパクトフラッシュ(登録商標)）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００２３】
７４はＭＥＮＵボタンであり、撮影モード選択項目、測光方式選択項目、測光エリア表示選択項目、測光感度重み係数表示選択項目等の項目があり、十字キー７６を画像表示部２８に表示されているカーソルを左右上下に移動させ、項目を選択することが出来る。またＭＥＮＵボタン７４を押すと撮影モード選択の項目が２８の画像表示部に出現し、カラーモード撮影か、白黒モード撮影かを十字キー７６で選択出来る。
【００２４】
以下において、カラーモード撮影の場合の実施例を最初に述べ、次に白黒モード撮影の場合の実施例を述べる。ＭＥＮＵボタン７４を押すと、測光方式選択の項目が２８の画像表示部に出現し、各種の測光方式が十字キー７６で選択出来る。
【００２５】
またＭＥＮＵボタン７４を押すと、測光エリア表示選択の項目が２８の画像表示部に出現し、２８の画像表示部に測光エリア表示する、測光エリア表示しない、のいずれかが十字キー７６で選択出来る。さらにＭＥＮＵボタン７４を押すと、測光感度重み係数表示選択の項目の項目が２８の画像表示部に出現し、２８の画像表示部の各測光エリアに測光感度重み係数表示する、測光感度重み係数表示しない、のいずれかが十字キー７６で選択出来る。
【００２６】
測光エリア表示を行い、かつ測光感度重み係数表示を行う場合、測光エリアの各部分に測光感度重み係数が表示される。重み係数は、例えば測光エリアが正方形で分割されている場合は、その正方形の４隅のいずれかに表示され、測光感度重み計数表示と白黒濃淡表示を図３（ａ），（ｂ）のように被写体を隠すことがないように表示される。また、各測光方式により測光感度重み係数の初期値は決められている。
【００２７】
例えば、測光エリアの中央の測光感度を高くしその周囲の測光感度を低く設定する方式であれば、中央部の測光エリアの測光感度重み係数が、中央部以外の測光エリアに比べ大きな値が設定されている。ＭＥＮＵボタン７４を押すと、測光感度重み係数変更の項目が２８の画像表示部に出現し、現在選択されている測光方式の測光感度重み係数を変更できモードに入る。測光感度重み係数バッファ値が２８の画像表示部に表示され、最初はゼロである。十字キー７６の上下により測光感度重み係数を変更したい測光エリアを選択し、十字キー７６の左右により測光感度重み係数の増減を行う。最初は測光感度重み係数を減らすことしか出来ない。減らした分の測光感度重み係数は測光感度重み係数バッファに格納され、他の測光エリアに割り振ることが可能になる。割り振り方は、十字キー７６の上下により測光エリアを選択し、十字キー７６の左右により測光感度重み係数の増減により割り振りを行う。また、十字キー７６の左右により測光エリアを選択し、十字キー７６の上下により測光感度重み係数の増減を行っても構わない。数値的に測光感度重み係数を変更できるため、微妙な測光調節が可能になる。また、測光エリアにおける測光感度重み係数の合計値は、変更前と変更後では不変であるため、各測光方式の特徴を残しつつも変更を行うことが可能である。以上の測光感度重み係数の変更操作を繰り返し、所望の状態になり、かつ測光感度重み係数バッファ値がゼロになっている場合、この変更された測光方式をメモリ３２もしくは記録部７２に任意の名前をつけて保存出来る。
【００２８】
本体電源ＯＦＦの後、再度本体電源ＯＮにしたとき、先に変更した測光方式はメモリ３２もしくは記録部７２に保存してあるため、再現することが可能である。ＭＥＮＵボタン７４を押すと、測光方式選択の項目が２８の画像表示部に出現し、その測光方式の中に先に変更し名前を付けた測光方式がその名前で登録されている。その変更した測光方式を選択することにより、全く同じ測光状態を再現することが出来る。
【００２９】
次に白黒モード撮影の場合の実施例を述べる。
【００３０】
白黒モード撮影において、測光エリア表示を行い、かつ測光感度重み係数表示を行う場合、ＭＥＮＵボタン７４を押すと、測光感度重み係数変更の項目が２８の画像表示部に出現し、カラーモード撮影の場合と全く同様に測光感度重み係数の変更が行える。白黒モード撮影において、測光エリア表示を行い、かつ測光感度重み係数表示を行わない場合、ＭＥＮＵボタン７４を押すと、測光感度重み係数変更の項目が２８の画像表示部に出現し、被写体が２８の画像表示部から消え、測光エリアのみが表示される。測光感度重み係数バッファ値が２８の画像表示部に表示され、最初はゼロである。十字キー７６の上下により測光感度重み係数を変更したい測光エリアを選択し、十字キー７６の左右により測光感度重み係数の増減を行う。重み係数の増減に合わせて、測光エリア内の色が、測光感度重み係数を増加させたときは白色に近づき、測光感度重み係数を減少させたときは黒色に近づく。最初は測光感度重み係数を減らすことしか出来ない。減らした分の測光感度重み係数は測光感度重み係数バッファに格納され、他の測光エリアに割り振ることが可能になる。割り振り方は、十字キー７６の上下により測光エリアを選択し、十字キー７６の左右により測光感度重み係数の増減により割り振りを行う。また、十字キー７６の左右により測光エリアを選択し、十字キー７６の上下により測光感度重み係数の増減を行っても構わない。白黒の濃淡による直感的に測光調整が可能になる。
【００３１】
実施例は以上の構成からなりその作用を図２に基づいて説明する。
【００３２】
２００の操作は、ＭＥＮＵボタン７４を押した際の、測光方式選択の項目を表している。選択された測光方式に応じて、２０２の操作で各測光方式の測光感度重み係数のデフォルト値をシステム制御３４がメモリ４６からロードし、測光エリア各部に設定する。２０４の操作は測光エリアを画像表示部２８に表示するか表示しないかを判定する操作であり、表示しない場合は本処理を終了する。表示する場合は、２０６の操作で撮影モードがカラーモード撮影であるか、白黒モード撮影であるか判定する。カラーモード撮影である場合、２０８の操作で測光感度重み係数を表示するか、表示しないかを判定する。測光感度重み係数を表示しない場合は本処理を終了する。測光感度重み係数を表示する場合、２１０の操作で測光感度重み係数を変更するか、変更しないかを判定する。測光感度重み係数を変更しない場合は本処理を終了する。測光感度重み係数を変更する場合、操作２１２から操作２２２までで、測光感度重み係数変更処理を行う。
【００３３】
２１４の操作は、十字キー７６の操作により選択された測光エリアの測光感度重み係数を、システム制御３４がメモリ４６へ記憶する動作を行う。２１６の操作は、十字キー７６の操作により増減された測光感度重み係数を、予め用意されているメモリ４６に存在する重み係数バッファに保存する。測光感度重み係数を減少させた場合、その分の数値が係数バッファに加えられ、測光感度重み係数を減少させた場合、その分の数値が係数バッファから減らされる。
【００３４】
２１８の操作は測光感度重み係数変更を継続するか、測光感度重み係数変更を終了するかを判定する。測光感度重み係数変更を継続する場合は操作２１２の測光感度重み係数変更処理の最初に戻る。測光感度重み係数変更を終了する場合は操作２２０の重み係数バッファに測光感度重み係数が残っていないかどうかを判定する。重み係数バッファに測光感度重み係数が残っている場合は操作２１２の測光感度重み係数変更処理の最初に戻る。重み係数バッファに測光感度重み係数が残っていない場合は測光感度重み係数変更を終了する。２２４の操作は、上記の変更が終了した測光方式に名前をつけてメモリ３２もしくは記録部７２に保存することができる。
【００３５】
先の２０６の操作で撮影モードが白黒モード撮影である場合、２０８の操作で測光感度重み係数を表示するか、表示しないかを判定する。測光感度重み係数を表示する場合、操作２１０以降はカラーモード撮影と全く同じ処理の流れになる。測光感度重み係数を表示しない場合、２２８の操作で測光感度重み係数を変更するか、変更しないかを判定する。測光感度重み係数を変更しない場合は本処理を終了する。測光感度重み係数を変更する場合、操作２３０から操作２４２までで、測光感度重み係数変更処理を行う。
【００３６】
２３２の操作は、被写体を画像表示２８から消し、測光エリアのみを画像表示２８に表示する。２３４の操作は、十字キー７６の操作により選択された測光エリアの測光感度重み係数を、システム制御３４がメモリ４６へ記憶する動作を行う。２３６の操作は、十字キー７６の操作により増減された測光感度重み係数を、予め用意されているメモリ４６に存在する重み係数バッファに保存する。測光感度重み係数を減少させた場合、その分の数値が係数バッファに加えられ、測光感度重み係数を減少させた場合、その分の数値が係数バッファから減らされる。さらに測光感度重み係数を減少させた場合、黒色に近づき、測光感度重み係数を増加させたときは白色に近づく。
【００３７】
２３８の操作は、測光感度重み係数変更を継続するか、測光感度重み係数変更を終了するかを判定する。測光感度重み係数変更を継続する場合は操作２３０の測光感度重み係数変更処理の最初に戻る。測光感度重み係数変更を終了する場合は操作２４０の重み係数バッファに測光感度重み係数が残っていないかどうかを判定する。重み係数バッファに測光感度重み係数が残っている場合は操作２３０の測光感度重み係数変更処理の最初に戻る。重み係数バッファに測光感度重み係数が残っていない場合は測光感度重み係数変更を終了する。２２４の操作は、上記の変更が終了した測光方式に名前をつけてメモリ３２もしくは記録部７６に保存することができる。
【図面の簡単な説明】
【００３８】
【図１】本発明の実施例を説明するブロック図
【図２】本発明の実施例の作用を説明するフローチャート
【図３】測光感度重み計数表示と白黒濃淡表示を示す図
【符号の説明】
【００３９】
１０  保護手段
１２  撮影レンズ
１４  絞り機能を備えるシャッター
１００  画像処理装置
【図１】
2007124105.tif 000003
【図２】
2007124105.tif 000004
【図３】
2007124105.tif 000005